(57)【要約】【課題】不本意な画像形成処理を抑制することができる情報処理装置及び画像形成装置を提供すること。【解決手段】画像形成装置１０は、画像形成処理の対象の選択操作を受け付けるためのタッチキー２０１又は画像形成処理の開始操作を受け付けるためのスタートボタン１２２などの特定の操作キーを含む操作表示部１２を備える。併せて、当該画像形成装置１０は、前記特定の操作キーの操作態様が予め定められた第１操作態様である場合は、前記選択操作又は前記開始操作に対応する処理を実行し、前記特定の操作キーの操作態様が予め定められた第２操作態様である場合は、前記画像形成処理における画像形成条件の設定を受け付け可能な設定画面を表示させる制御部１１を備える。【選択図】図１
2018144404.tif 000002
【特許請求の範囲】
【請求項１】
画像形成処理の対象の選択操作又は画像形成処理の開始操作を受け付けるための特定の操作キーを含む操作部と、
前記特定の操作キーの操作態様が予め定められた第１操作態様である場合は、前記選択操作又は前記開始操作に対応する処理を実行し、前記特定の操作キーの操作態様が予め定められた第２操作態様である場合は、前記画像形成処理における画像形成条件の設定を受け付け可能な設定画面を表示させる制御部と、
を備える情報処理装置。
【請求項２】
前記第１操作態様は、前記特定の操作キーの操作継続時間が予め設定された長押し時間未満の操作態様であり、
前記第２操作態様は、前記特定の操作キーの操作継続時間が前記長押し時間以上の操作態様である、
請求項１に記載の情報処理装置。
【請求項３】
前記制御部は、前記特定の操作キーの操作態様が予め定められた第３操作態様である場合は、前記画像形成条件を当該第３操作態様に対応して予め設定された特定条件に設定した後、前記開始操作に対応する処理を実行する、
請求項１又は２に記載の情報処理装置。
【請求項４】
前記第３操作態様は、複数種類の操作態様を含み、
前記特定条件は、前記第３操作態様の種類ごとに予め設定されている、
請求項３に記載の情報処理装置。
【請求項５】
前記特定条件は、前記画像形成条件のデフォルト設定として予め設定された条件である、
請求項３又は４に記載の情報処理装置。
【請求項６】
前記特定条件は、前記画像形成処理の対象となるデータごと又は当該データの種類ごとに予め設定された条件である、
請求項３〜５のいずれかに記載の情報処理装置。
【請求項７】
前記操作部は、表示部に対する操作を受け付けるタッチパネルであり、
前記特定の操作キーは、それぞれの前記データに対応するとともに対応する当該データの種類に応じた態様で前記表示部に表示されるタッチキーである、
請求項６に記載の情報処理装置。
【請求項８】
前記特定の操作キーは、前記対応するデータに設定された前記特定条件に関する情報が付随された状態で表示される、
請求項７に記載の情報処理装置。
【請求項９】
外部記憶装置が接続可能な接続部を備え、
前記制御部は、前記外部記憶装置に記憶されているデータを前記画像形成処理の対象として選択可能である、
請求項１〜８のいずれかに記載の情報処理装置。
【請求項１０】
請求項１〜９に記載の情報処理装置と、
前記画像形成条件に従って前記画像形成処理を実行する画像形成部と、
を備える、画像形成装置。
【発明の詳細な説明】
【技術分野】
【０００１】
本発明は、画像読取処理又は画像形成処理などの画像処理の条件を設定可能な情報処理装置及び画像形成装置に関する。
【背景技術】
【０００２】
例えば複写機のような画像形成装置では、一般に、必要に応じて原稿のサイズなどの画像形成条件が事前に設定された上で、画像形成処理（印刷）が実行される。ところが、画像形成条件の設定が必要であるにも拘らず、オペレーターの失念などによって当該画像形成条件の設定又は設定内容の確認が行われないまま、画像形成処理が実行されることがある。この場合、オペレーターにとって当該画像形成処理が不本意な結果となる可能性がある。
【０００３】
なお、画像形成処理が実行されている途中で、画像形成条件としての設定項目の変更が行われた場合に、この変更された設定項目が、まだ画像形成処理部が開始されていない次の部から反映される技術が知られている（例えば特許文献１）。
【先行技術文献】
【特許文献】
【０００４】
【特許文献１】特開２００８−１５５４５１号公報
【発明の概要】
【発明が解決しようとする課題】
【０００５】
しかしながら、設定項目の変更が行われる前に画像形成処理が行われた部については、やはり当該画像形成処理が不本意な結果となる可能性がある。一方、画像形成処理の開始前に画像形成条件を設定するための設定画面を表示させる操作を毎回行うことは、オペレーターにとって手間である。
【０００６】
本発明は、不本意な画像形成処理部を抑制することができる情報処理装置及び画像形成装置を提供することを目的とする。
【課題を解決するための手段】
【０００７】
本発明の一の局面に係る情報処理装置は、操作部と、制御部と、を備える。操作部は、画像形成処理の対象の選択操作又は画像形成処理の開始操作を受け付けるための特定の操作キーを含む。制御部は、特定の操作キーの操作態様が予め定められた第１操作態様である場合は、画像形成処理の対象の選択操作又は画像形成処理の開始操作に対応する処理を実行する。一方、特定の操作キーの操作態様が予め定められた第２操作態様である場合は、当該制御部は、画像形成処理における画像形成条件の設定を受け付け可能な設定画面を表示させる。
【０００８】
本発明の他の局面に係る画像形成装置は、情報処理装置を備える。情報処理装置は、操作部と、制御部と、を備える。操作部は、画像形成処理の対象の選択操作又は画像形成処理の開始操作を受け付けるための特定の操作キーを含む。制御部は、特定の操作キーの操作態様が予め定められた第１操作態様である場合は、画像形成処理の対象の選択操作又は画像形成処理の開始操作に対応する処理を実行する。一方、特定の操作キーの操作態様が予め定められた第２操作態様である場合は、当該制御部は、画像形成処理における画像形成条件の設定を受け付け可能な設定画面を表示させる。さらに、画像形成装置は、画像形成部を備える。画像形成部は、画像形成条件に従って画像形成処理を行う。
【発明の効果】
【０００９】
本発明によれば、不本意な画像形成処理を抑制することができる情報処理装置及び画像形成装置が実現される。
【図面の簡単な説明】
【００１０】
【図１】図１は、本発明の第１の実施形態に係る画像形成装置の概略構成を示すブロック図である。
【図２】図２は、本発明の第１の実施形態に係る画像形成装置の操作表示部の外観図である。
【図３】図３は、本発明の第１の実施形態に係る画像形成装置における画像形成制御処理の一例を示すフローチャートである。
【図４】図４は、本発明の第１の実施形態に係る画像形成装置の操作表示部に表示される外部メモリー画面の一例を示す図解図である。
【図５】図５は、本発明の第２の実施形態に係る画像形成装置における画像形成制御処理の一例を示すフローチャートである。
【図６】図６は、本発明の第３の実施形態に係る画像形成装置における画像形成制御処理の一例を示すフローチャートである。
【図７】図７は、本発明の第４の実施形態に係る画像形成装置の操作表示部に表示される外部メモリー画面の一例を示す図解図である。
【図８】図８は、本発明の第４の実施形態に係る画像形成装置における画像形成制御処理の一例を示すフローチャートである。
【発明を実施するための形態】
【００１１】
以下、添付図面を参照しながら、本発明の一実施形態について説明する。なお、以下の実施形態は、本発明を具現化した一例であって、本発明の技術的範囲を限定する性格を有さない。
【００１２】
［第１の実施形態］
まず、図１を参照しつつ、本発明の第１の実施形態に係る画像形成装置１０について説明する。
【００１３】
画像形成装置１０は、不図示の画像形成媒体としてのシートに画像を形成する機能を備えると共に、不図示の原稿から画像を読み取る画像読取装置の機能を兼ね備える複合機である。また、画像形成装置１０は、不図示の電話回線を通じて画像を送受信するファクシミリ装置の機能を兼ね備えることも考えられる。
【００１４】
画像形成装置１０は、制御部１１、操作表示部１２、画像読取部１３、画像形成部１４、インターフェイス部１５などを備える。なお、本実施形態では、画像形成装置１０において制御部１１及び操作表示部１２を含む一部の構成要素が本発明に係る情報処理装置の一例である場合を例に挙げて説明するが、画像形成装置１０を本発明に係る情報処理装置として捉えてもよい。
【００１５】
画像読取部１３は、不図示の原稿台、光源、複数のミラー、光学レンズ、及びＣＣＤを備え、原稿から画像データを読み取ることが可能である。
【００１６】
画像形成部１４は、画像読取部１３で読み取られた画像データに基づいて、電子写真方式でシートに画像を形成する画像形成処理（印刷）を実行することが可能である。また、画像形成部１４は、外部のパーソナルコンピューターのような情報処理装置から入力された画像データに基づいて画像形成処理を実行することも可能である。具体的に、画像形成部１４は、不図示の感光体ドラム、帯電装置、光走査装置、現像装置、転写ローラー、クリーニング装置、定着装置などを備える。
【００１７】
インターフェイス部１５は、例えばＵＳＢ（Universal Serial Bus：登録商標）メモリー５０のような外部記録装置が着脱可能なＵＳＢポート１６を有する。そして、制御部１１は、インターフェイス部１５を介してＵＳＢポート１６に接続されるＵＳＢメモリー２０に対してデータの読み書きが可能である。
【００１８】
操作表示部１２は、図２に示されるように、操作部と表示部とを兼ねるタッチパネル１２１と、スタートボタン１２２及びその他の複数の操作ボタン１２３，１２３，…が配置された操作パネル１２４とを含む。ここに、スタートボタン１２２は、画像形成装置１０における画像形成処理の開始操作を受け付けるために用いられる特定の操作キーの一例である。
【００１９】
制御部１１は、不図示のＣＰＵ（Central Processing Unit）、ＲＯＭ（Read Only Memory）、ＲＡＭ（Random Access Memory）、及びＥＥＰＲＯＭ（Electrically Erasable Programmable ROM登録商標）のような制御機器を備える。前記ＣＰＵは、各種の演算処理を実行するプロセッサーである。前記ＲＯＭは、前記ＣＰＵに各種の処理を実行させるための制御プログラムのような情報が予め記憶される不揮発性の記憶部である。前記ＲＡＭは揮発性の記憶部であり、前記ＥＥＰＲＯＭは不揮発性の記憶部である。前記ＲＡＭ及び前記ＥＥＰＲＯＭは、前記ＣＰＵが各種の処理を実行する際の一時記憶メモリー（作業領域）として使用される。制御部１１では、前記ＣＰＵにより前記ＲＯＭに予め記憶された各種の制御プログラムが実行される。これにより、画像形成装置１０が制御部１１により統括的に制御される。
【００２０】
具体的に、制御部１１は、操作表示部１２のスタートボタン１２２の操作態様が予め定められた第１操作態様である場合は、前記開始操作に対応する処理を実行する。例えば、制御部１１は、前記開始操作に応じて画像形成部１４に画像形成処理を実行させる。また、制御部１１は、スタートボタン１２２の操作態様が予め定められた第２操作態様である場合は、画像形成処理における画像形成条件の設定を受け付け可能な設定画面を操作表示部１２のタッチパネル１２１に表示させる。その後、制御部１１は、前記設定画面で設定された画像形成条件に従って画像形成部１４に画像形成処理を実行させる。なお、本実施形態において、前記第１操作態様は、スタートボタン１２２の操作継続時間が予め設定された長押し時間未満の短押し操作であり、前記第２操作態様は、当該スタートボタン１２２の操作継続時間が長押し時間以上の長押し操作である。
【００２１】
ところで、画像形成処理の開始前に画像形成条件を設定するための設定画面を表示させる操作を毎回行うことは、オペレーターにとって手間である。これに対し、画像形成装置１０では、不本意な画像形成処理の実行を抑制することが可能である。
【００２２】
［画像形成制御処理］
前述の外部メモリー画面が表示されてから画像形成処理が開始されるまでの制御部１１（ＣＰＵ）による処理の流れについて、図３に示されるフローチャートを参照しつつ説明する。なお、当該画像形成制御処理は、ＵＳＢポート１６にＵＳＢメモリー２０が接続された状態で、ＵＳＢメモリー２０に記憶されている原稿データに基づく原稿の画像形成処理を開始するための所定の操作が操作表示部１２によって受け付けられた場合に、制御部１１によって実行される。
【００２３】
＜ステップＳ１＞
ステップＳ１において、制御部１１は、操作表示部１２のタッチパネル１２１に外部メモリー画面２００を表示する。
【００２４】
ここに、図４は、外部メモリー画面２００の一例を示す図である。図４に示されるように、外部メモリー画面２００には、ＵＳＢメモリー５０に記憶されている原稿データを選択するためのタッチキー２０１が前記原稿データごとに対応して表示される。また、外部メモリー画面２００には、タッチキー２０１で選択された原稿データについての画像形成処理の開始操作を受け付けるためのタッチキー２０２も表示されている。この画像形成処理の開始操作を受け付けるためのタッチキー２０２もまた、スタートボタン１２２と同様、特定の操作キーの一例である。即ち、この特定の操作キーとしてのタッチキー２０２の操作態様が第１操作態様である場合、制御部１１は、画像形成処理の開始操作に対応する処理を実行する。一方、タッチキー２０２の操作態様が第２操作態様である場合、制御部１１は、画像形成処理における画像形成条件の設定を受け付け可能な設定画面をタッチパネル１２１に表示させる。なお、本実施形態において、前記第１操作態様は短押し操作であり、前記第２操作態様は長押し操作である。
【００２５】
＜ステップＳ２＞
ステップＳ２において、制御部１１は、当該外部メモリー画面２００上でタッチキー２０１の操作が受け付けられるのを待つ（Ｓ２：ＮＯ）。そして、タッチキー２０１の選択操作が行われたと判定されると（Ｓ２：ＹＥＳ）、処理がステップＳ３に移行する。
【００２６】
＜ステップＳ３＞
ステップＳ３において、制御部１１は、外部メモリー画面２００に表示されている原稿データのうち、前記ステップＳ２で選択されたと判定されたタッチキー２０１に対応する原稿データを、当該画像形成処理の対象として特定する。具体的に、制御部１１は、画像形成処理の対象として特定された原稿データを、外部メモリー２０から読み込み、これを一旦、前記一時記憶メモリーに記憶する。
【００２７】
＜ステップＳ４＞
ステップＳ４において、制御部１１は、特定の操作キーとしての操作表示部１２のスタートボタン１２２又は外部メモリー画面２００上の前記タッチキー２０２が操作されるのを待つ（Ｓ４：ＮＯ）。そして、スタートボタン１２２又はタッチキー２０２が操作されると（Ｓ４：ＹＥＳ）、処理がステップＳ５に移行する。
【００２８】
＜ステップＳ５＞
ステップＳ５において、制御部１１は、スタートボタン１２２又はタッチキー２０２の操作態様が前記第１操作態様及び前記第２操作態様のうち前記第１操作態様であるか否かを判定する。ここで、スタートボタン１２２又はタッチキー２０２の操作態様が前記第１操作態様であると判定された場合（Ｓ５：ＹＥＳ）、処理はステップＳ６に移行する。また、スタートボタン１２２又はタッチキー２０２の操作態様が前記第１操作態様でないと判定された場合（Ｓ５：ＹＥＳ）、処理はステップＳ７に移行する。即ち、スタートボタン１２２又はタッチキー２０２の操作態様が前記第１操作態様及び前記第２操作態様のうちの前記第２操作態様である場合には、処理がステップＳ７に移行することになる。
【００２９】
＜ステップＳ６＞
ステップＳ６において、制御部１１は、現在設定されている前記画像形成条件に従って画像形成処理を開始する。具体的に、制御部１１は、画像形成部１４を制御することにより、前記ステップＳ３で特定された原稿データに基づく画像形成処理を実行させる。
＜ステップＳ７＞
ステップＳ７において、制御部１１は、画像形成条件を設定するために用いられる前記設定画面を操作表示部１２のタッチパネル１２１に表示させる。前記設定画面では、前記画像形成条件についての現在の設定内容が表示されており、制御部１１は、前記設定画面におけるユーザー操作に応じて前記画像形成条件の設定内容を変更可能である。
【００３０】
＜ステップＳ８＞
ステップＳ８において、制御部１１は、前記設定画面上でユーザー操作が受け付けられるのを待つ（Ｓ８：ＮＯ）。そして、当該ユーザー設定操作が受け付けられたと判定されると（Ｓ８：ＹＥＳ）、処理がステップＳ９に移行する。
【００３１】
＜ステップＳ９＞
ステップＳ９において、制御部１１は、前記ステップＳ８におけるユーザー操作の内容に応じて画像形成条件を設定する。そして、制御部１１は、処理を前記ステップＳ４に戻す。
【００３２】
以上説明したように、画像形成装置１０では、一つのスタートボタン１２２又はタッチキー２０２の操作態様に応じて、画像形成条件の設定画面の表示と、画像形成処理の開始とが切り替えて実行される。より具体的に、スタートボタン１２２又はタッチキー２０２の操作態様が前記第第１操作態様である場合は前記画像形成処理の開始が実行され、当該スタートボタン１２２又はタッチキー２０２の操作態様が前記第２操作態様である場合は、前記設定画面が表示される。これにより、ユーザーは、画像形成処理を開始させるために操作するスタートボタン１２２又はタッチキー２０２を用いて、容易に当該画像形成処理の開始前に前記設定画面を表示させて前記画像形成条件の設定内容を確認することが可能となる。従って、前記画像形成条件の設定内容が画像形成処理の開始前に確認される可能性が高くなり、当該画像形成条件の設定内容の確認に手間がかかる場合に比べて、不本意な画像形成処理の実行を抑制することができる。
【００３３】
［第２の実施形態］
ところで、前記第１の実施形態では、画像形成処理の開始の際に操作されるスタートボタン１２２及びタッチキー２０２のそれぞれを特定の操作キーの一例として説明した。一方、画像形成処理の対象となる原稿データを選択する際に操作されるタッチキー２０１を特定の操作キーの一例として捉えることも可能である。以下、図５を参照しつつ、前記画像形成制御処理の他の例について説明する。なお、図３の画像形成制御処理と同様の処理手順については説明を省略する。
【００３４】
＜ステップＳ２１＞
ステップＳ２１において、制御部１１は、タッチキー２０１の操作態様が前記第１操作態様及び前記第２操作態様のうち前記第１操作態様であるか否かを判定する。ここで、前記タッチキー２０１の操作態様が前記第１操作態様であると判定された場合（Ｓ２１：ＹＥＳ）、処理がステップＳ３に移行する。一方、前記第１操作態様でないと判定された場合（Ｓ２１：ＮＯ）、処理がステップＳ７に移行する。即ち、タッチキー２０１の操作態様が前記第１操作態様及び前記第２操作態様のうち前記第２操作態様である場合には、処理がステップＳ７に移行する。
【００３５】
このように、本実施形態に係る画像形成装置１０では、一つのタッチキー２０１の操作態様に応じて、画像形成条件の設定画面の表示と、原稿データの選択とが切り替えて実行される。これにより、ユーザーは、原稿データを選択するために操作するタッチキー２０１を用いて、容易に当該画像形成処理の開始前に前記設定画面を表示させて前記画像形成条件の設定内容を確認することが可能となる。従って、前記画像形成条件の設定内容が画像形成処理の開始前に確認される可能性が高くなり、前記画像形成条件の設定内容の確認に手間がかかる場合に比べて、不本意な画像形成処理の実行を抑制することができる。
【００３６】
［第３の実施形態］
ところで、前記第１の実施形態及び前記第２の実施形態では、制御部１１がスタートボタン１２２、タッチキー２０２、及びタッチキー２０１の操作として受付可能な操作態様が前記第１操作態様及び前記第２操作態様の２種類である場合について説明した。一方、制御部１１は、スタートボタン１２２、タッチキー２０２、及びタッチキー２０１の操作として、３種類以上の操作態様を受付可能であることも考えられる。
【００３７】
例えば、制御部１１は、スタートボタン１２２、タッチキー２０１及び２０２の操作態様が予め定められた第３操作態様である場合は、画像形成条件を予め設定された特定条件に設定し、前記画像形成処理の開始操作に対応する処理を実行させる。なお、前記特定条件は、画像形成装置１０自体のデフォルト設定として予め設定された条件である。ここに、第３操作態様は、スタートボタン１２２、タッチキー２０１及び２０２について、それぞれの操作継続時間が前記長押し時間未満の短押し操作であり、かつ、この短押し操作が２回連続して行われる操作（ダブルクリック操作又はダブルタップ操作のような操作）である。以下、図６を参照しつつ、本実施形態における画像形成制御処理の例について説明する。なお、図３及び図５の画像形成制御処理と同様の処理手順については説明を省略する。
【００３８】
＜ステップＳ３１＞
ステップＳ３１において、制御部１１は、前記ステップＳ２又は前記ステップＳ４で操作されたと判定されたスタートボタン１２２、タッチキー２０１、又はタッチキー２０２の操作態様が前記第２操作態様及び前記第３操作態様のうち前記第２操作態様であるか否かを判定する。ここで、前記操作態様が第２操作態様であると判定された場合（Ｓ３１：ＹＥＳ）、処理がステップＳ７に移行する。一方、前記操作態様が第２態様でないと判定された場合（Ｓ３１：ＮＯ）、処理がステップＳ３２に移行する。即ち、前記操作態様が前記第２操作態様及び前記第３操作態様のうち前記第３操作態様である場合には処理がステップＳ３２に移行する。
【００３９】
＜ステップＳ３２＞
ステップＳ３２において、制御部１１は、画像形成条件を前記デフォルト設定として予め設定された条件とし、その後、処理がステップＳ６に移行する。
【００４０】
このように、本実施形態に係る画像形成装置１０では、スタートボタン１２２、タッチキー２０１、又はタッチキー２０２それぞれの操作態様に応じて、画像形成条件の設定画面の表示と、画像形成処理の開始又は原稿データの選択と、に加えて、画像形成条件を前記デフォルト設定に係る条件とした上での画像形成処理の開始と、が切り替えて実行される。これにより、ユーザーは、例えば画像形成条件を前記デフォルト設定に係る条件とした上で画像形成処理を開始させようとした場合に、このデフォルト設定に係る画像形成条件に従う画像形成処理を迅速かつ確実に行うことが可能となる。
【００４１】
［第４の実施形態］
ところで、前記第１の実施形態〜前記第３の実施形態では、図４に示される外部メモリー画面２００が操作表示部１２のタッチパネル１２１に表示される場合について説明した。一方、他の一例として、図７に示される外部メモリー画面３００が操作表示部１２のタッチパネル１２１に表示されることも考えられる。
【００４２】
図７に示される外部メモリー画３００には、前記ＵＳＢメモリー５０に記憶されている複数の原稿データに対応する複数のタッチキー３０１，３０１，…及び３０２，３０２，…が表示される。なお、図７において下側に表示されているタッチキー３０１，３０１，…は、文書の原稿データに対応し、上側に表示されているタッチキー３０２，３０２，…は、図面の原稿データに対応する。これらのタッチキー３０１，３０１，…及び３０２，３０２，…は、それぞれに対応する原稿データの種類（ファイル形式）に応じた態様（図柄）で表示される。また、これらのタッチキー３０１，３０１，…及び３０２，３０２，…の配置は任意であり、図７に示される如く対応する原稿の種類別に上下に分かれた配置である必要はない。
【００４３】
各原稿データには、当該原稿データごと又は原稿データの種類ごとに、前記画像形成条件のデフォルト設定としての条件が予め設定されている。この原稿データごと又は原稿データの種類ごとのデフォルト設定に係る画像形成条件、言わばデータデフォルト設定に係る画像形成条件は、前記画像形成装置１０自体のデフォルト設定に係る画像形成条件、言わばマシンデフォルト設定に係る画像形成条件とは、別個に設定された条件である。
【００４４】
例えば、文書の原稿データについては、当該原稿データごとに前記データデフォルト設定に係る画像形成条件が予め設定されている。そして、当該文書の原稿データに対応するそれぞれのタッチキー３０１には、対応する当該原稿データに設定されている前記データデフォルト設定に係る画像形成条件のうちの主な内容を表す３つの情報３０１Ａ，３０１Ｂ及び３０１Ｃが付随して表示される。ここに、情報３０１Ａ（“Ａ４”、“Ａ３”、“Ｂ５”など）は、対応する原稿データに係る原稿のサイズを表す情報である。情報３０１Ｂ（“Ｎｏ”、“２  ｉｎ  １”、“４  ｉｎ  １”など）は、ページ集約に関する情報である。情報３０１Ｃ（“Ｂ／Ｗ”及び“Ｃｏｌｏｒ”）は、白黒画像形成処理及びカラー画像形成処理のいずれを指定するのかを表す情報である。
【００４５】
一方、図面の原稿データについては、当該原稿データの種類ごとに前記データデフォルト設定に係る画像形成条件が予め設定されている。そして、この図面の原稿データに対応するそれぞれのタッチキー３０２についても、当該原稿データに設定されている前記データデフォルト設定に係る画像形成条件のうち原稿のサイズを表す情報３０２Ａと、ページ集約に関する情報３０２Ｂと、白黒画像形成処理及びカラー画像形成処理のいずれを指定するのかを表す情報３０２Ｃと、が付随して表示される。なお、この図面の原稿データについても、当該原稿データごとに前記データデフォルト設定に係る画像形成条件が予め設定されることが可能である。また、前記文書の原稿データについても、当該文書という原稿の種類ごとに前記データデフォルト設定に係る画像形成条件が予め設定されることが可能である。
【００４６】
そして、この図７に示される外部メモリー画面３００においても、図４に示される外部メモリー画面２００におけるタッチキー２０２と同様に、前記スタートボタン１２２と同様の機能を担うタッチキー３０３が設けられる。
【００４７】
前記各原稿データに対応する各タッチキー３０１，３０１，…及び３０２，３０２，…のそれぞれは、特定の操作キーの一例であり、詳しくは図４に示される外部メモリー画面２００におけるタッチキー２０１と同様、画像形成処理の対象となる原稿データの選択操作を受け付けるためのキーである。より具体的に、それぞれのタッチキー３０１又は３０２の操作態様が前記第１操作態様である場合、制御部１１は、操作を受け付けたタッチキー３０１又は３０２に対応する原稿データを画像形成処理の対象として特定する。これ以降は、前記第１実施形態〜前記第３実施形態と同様である。即ち、前記スタートボタン１２２又は前記タッチキー３０３によって前記第１操作態様の操作が受け付けられると、制御部１１は、前記画像形成処理の対象として特定された原稿データに基づく当該画像形成処理を前記画像形成部１４に実行させる。そして、前記スタートボタン１２２又は前記タッチキー３０３によって前記第２操作態様の操作が受け付けられると、制御部１１は、前記設定画面を前記タッチパネル１２１に表示させる。
【００４８】
また、前記それぞれのタッチキー３０１又は３０２の操作態様が前記第２操作態様である場合、制御部１１は、前記設定画面を前記タッチパネル１２１に表示させる。
【００４９】
さらに、前記それぞれのタッチキー３０１又は３０２の操作態様が前記第３操作態様である場合、制御部１１は、画像形成条件を特定条件としての前記マシンデフォルト設定に係る条件とし、その上で、前記画像形成部１４に当該マシンデフォルト設定に係る画像形成条件に従う画像形成処理を実行させる。
【００５０】
なお、前記それぞれのタッチキー３０１又は３０２については、第３操作態様として、前記短押し操作が２回連続して行われる操作以外の操作態様も設定されている。即ち、前記第３操作態様は、複数種類の操作態様を含む。具体的に、前記それぞれのタッチキー３０１又は３０２について、前記短押し操作が２回連続して行われる操作以外に、当該それぞれのタッチキー３０１又は３０２が上下左右のいずれかの方向へフリックされる操作が、前記第３操作態様として設定されている。このフリック操作がいずれかのタッチキー３０１又は３０２によって受け付けられた場合、制御部１１は、前記画像形成条件を予め設定された別の特定条件とし、前記画像形成部１４に当該特定条件に従う画像形成処理を実行させる。なお、前記別の特定条件は、前記フリック操作が受け付けられたタッチキー３０１又は３０２に対応する原稿データに設定された前記データデフォルト設定に係る条件である。
【００５１】
要するに、前記それぞれのタッチキー３０１又は３０２については、短押し操作が２回連続して行われる操作と、上下左右のいずれかの方向へフリックされる操作との２種類の第３操作態様が設定されている。そして、この第３操作態様の種類ごとに、前記マシンデフォルト設定又は前記データデフォルト設定というデフォルト設定に係る前記画像形成条件が予め定められている。
【００５２】
以下、図８を参照しつつ、本実施形態における画像形成制御処理の例について説明する。なお、図８に示される画像形成制御処理においては、図６に示される画像形成制御処理におけるステップＳ３２に代えて、ステップＳ４１〜ステップＳ４３が設けられる。従って、図６（及び図３、図５）に示される画像形成制御処理と同様の処理手順については説明を省略する。但し、前記ステップＳ２では、図７に示される外部メモリー画面３００上で各タッチキー３０１，３０１，…及び３０２，３０２，…のいずれかの操作の受け付け待ちが行われる。また、前記ステップＳ４では、前記スタートボタン１２２又は前記外部メモリー画面３００上のタッチキー３０３の操作の受け付け待ちが行われる。
【００５３】
＜ステップＳ４１＞
ステップＳ４１において、制御部１１は、前記ステップＳ２又は前記ステップＳ４で操作されたと判定されたスタートボタン１２２、タッチキー３０１、３０２、又はタッチキー３０３の操作態様が前記複数種類の第３操作態様のうちのいずれの態様であるかを判定する。ここで、当該第３操作態様が２回連続して行われる短押し操作であると判定された場合（Ｓ４１：ＹＥＳ）、処理がステップＳ４２に移行する。一方、当該第３操作態様がタッチキー３０１又は３０２についてのフリック操作であると判定された場合（Ｓ４１：ＮＯ）、処理がステップＳ４３に移行する。
【００５４】
＜ステップＳ４２＞
ステップＳ４２において、制御部１１は、画像形成条件を前記マシンデフォルト設定に係る条件とする。その後、処理がステップＳ６に移行する。
【００５５】
＜ステップＳ４３＞
ステップＳ４３においては、制御部１１は、画像形成条件を前記フリック操作が受け付けられたタッチキー３０１又は３０２に対応する原稿データに設定された前記データデフォルト設定に係る条件とする。その後、処理がステップＳ６に移行する。
【００５６】
このように、本実施形態に係る画像形成装置１０では、一つのタッチキー３０１又は３０２の操作態様に応じて、画像形成処理の対象となる原稿データの選択と、画像形成処理の開始と、画像形成条件の設定画面の表示と、画像形成条件を前記マシンデフォルト設定に係る条件とした上での画像形成処理の開始の指示と、画像形成条件を当該タッチキー３０１又は３０２に対応する原稿データに設定された前記データデフォルト設定に係る条件とした上での画像形成処理の開始の指示と、を切り替えて実行することが可能となる。
【００５７】
従って、ユーザーは、画像形成処理の対象となる原稿データを選択するために操作するそれぞれのタッチキー３０１又は３０２を用いて、容易に当該画像形成処理の開始前に画像形成条件の設定画面を表示させて当該画像形成条件の設定内容を確認することが可能となる。これにより、画像形成条件の設定内容が画像形成処理の開始前に確認される可能性が高くなり、当該画像形成条件の設定内容の確認に手間がかかる場合に比べて、不本意な画像形成処理の実行を抑制することができる。併せて、ユーザーは、例えば画像形成条件を前記マシンデフォルト設定に係る条件とした上で画像形成処理を開始させようとした場合に、当該マシンデフォルト設定に係る画像形成条件に従う画像形成処理を迅速かつ確実に行うことが可能となる。また、ユーザーは、それぞれの原稿データについて、当該原稿データに設定された前記データデフォルト設定に係る画像形成条件に従う画像形成処理を開始させようとした場合も、当該データデフォルト設定に係る画像形成条件に従う画像形成処理を迅速かつ確実に行うことが可能となる。
【００５８】
［第５の実施形態］
ところで、前記第１の実施形態〜前記第４の実施形態において、本発明に係る情報処理装置の一例として画像形成装置１０を例に挙げて説明した。一方、本発明に係る情報処理装置は、画像形成条件の設定及び画像形成装置１０への原稿データの送信が可能な情報端末にも適用可能である。例えば、前記情報端末は、タブレット端末、パーソナルコンピューター、又はスマートフォンなどである。
【００５９】
即ち、前記情報端末が、タッチパネルなどの操作部と、ＣＰＵなどの制御部とを備えることが考えられる。前記情報端末の操作部は、画像形成装置１０で実行される画像形成処理の対象の選択操作又は画像形成処理の開始操作を受け付けるための特定の操作キーを含む。そして、前記制御部によって、前記画像形成制御処理（図３、図５、図６又は図８など）と同様の処理が実行されることが考えられる。
【００６０】
例えば、前記ステップＳ１では、前記情報端末に記憶されている原稿データ又は前記情報端末に接続される外部記憶装置に記憶されている原稿データを選択するための選択キー及び画像形成装置１０に画像形成処理を開始させるためのスタートキー等の特定の操作キーを含む操作画面が表示される。その後、前記情報端末の制御部は、前記特定の操作キーの操作態様が予め定められた短押しなどの第１操作態様である場合は、前記画像形成処理の対象の選択操作又は前記画像形成処理の開始操作に対応する処理を実行する。例えば、前記スタートキーが前記第１操作態様で操作された場合、前記ステップＳ６では、画像形成処理の対象となる原稿データと当該画像形成処理における画像形成条件の設定データとを画像形成装置１０に送信するための処理が実行される。一方、前記特定の操作キーの操作態様が予め定められた長押しなどの第２操作態様である場合、前記情報端末の制御部は、前記画像形成処理における画像形成条件の設定を受け付け可能な設定画面を表示させる。また、前記特定の操作キーの操作態様が予め定められたダブルタップ操作などの第３操作態様である場合、前記情報端末の制御部は、前記画像形成条件を当該第３操作態様に対応して予め設定された特定条件に設定した後、前記開始操作に対応する処理を実行する。
【符号の説明】
【００６１】
１０    ：画像形成装置
１１    ：制御部
１２    ：操作表示部
１５    ：画像形成部
１２１  ：タッチパネル
１２２  ：スタートボタン
２０１、２０２  ：タッチキー
【図１】
2018144404.tif 000003
【図２】
2018144404.tif 000004
【図３】
2018144404.tif 000005
【図４】
2018144404.tif 000006
【図５】
2018144404.tif 000007
【図６】
2018144404.tif 000008
【図７】
2018144404.tif 000009
【図８】
2018144404.tif 000010